(57)【要約】【課題】  子供からお年寄りまで年齢及び経験を問わず、誰もが美しい文字を容易に書くことができる毛筆を提供することを目的とする。【解決手段】  穂先１と、該穂先１を固定する首部２と、胴部３と、穂先１を回転させる回転手段と、から構成し、該回転手段によって首部２と胴部３とが連結されることを特徴とする。【選択図】      図１
2005254543.tif 000002
【特許請求の範囲】
【請求項１】
穂先（１）と、該穂先（１）を固定する首部（２）と、胴部（３）と、穂先（１）を回転させる回転手段と、から構成し、該回転手段によって首部（２）と胴部（３）とが連結されることを特徴とする毛筆。
【請求項２】
前記回転手段は、首部（２）と胴部（３）とを相互に回転させる軸受（４）であることを特徴とする請求項１記載の毛筆。
【請求項３】
前記回転手段は防食性を保有していることを特徴とする請求項１又は２記載の毛筆。
【発明の詳細な説明】
【技術分野】
【０００１】
本発明は、書道に使用する毛筆に関するものである。
【背景技術】
【０００２】
毛筆で文字を美しく書くためには、例えば平仮名の「の」や「は」等といった文字の曲がる部分の微妙な筆運びや、毛筆の穂先の止め、撥ね、払い等の筆使いが非常に重要となる。
【０００３】
文字の曲がる部分を書く場合、毛筆の穂先を回転させなければならず、子供や初心者にとってはその筆運びを理解することは困難であった。そのため、特に子供は、文字の曲がる部分に差し掛かるとその都度手の動きを一旦止め、その位置で片手を添えて毛筆を回転させて穂先を曲がる方向に向け直しながら書いたり、穂先を強引に折り曲げるようにしながら書いてしまいがちであった。このように文字の曲がる部分を書くと、書き終えた際に穂先が乱れてしまい、次の線を書くには穂先を整え直さなければならなかった。これでは文字の曲がる部分を滑らかに書くことができず、文字に墨の濃淡の差ができたり、線の太さが変わってしまったりして文字全体のバランスが悪くなり、美しい文字を書くことができなかった。また、穂先をその都度整え直さなければならず、面倒でもあった。
【０００４】
また、文字の止め、撥ね、払いの部分を書く場合には、次に書く線の書き出しへとスムーズに穂先を運ぶためにも微妙な筆圧が必要となり、初心者にとっては筆圧をコントロールする等といった微妙な筆使いを理解することも困難であった。このため、文字の止め、撥ね、払いを行う際には、筆圧が大きくなりすぎて穂先がくの字状に折れ曲がってしまい、次の線を書く場合には穂先を整え直さなければならず、流れるように美しい文字を書くことができなかった。
このように毛筆の筆運びや筆使いは誰しもが直ぐに習得することは極めて難しく、そのため、美しい文字を書くためには熟練した高度な技能が必要であった。
【発明の開示】
【発明が解決しようとする課題】
【０００５】
そこで本発明は、子供からお年寄りまで年齢及び経験を問わず、誰もが美しい文字を容易に書くことができる毛筆を提供することを目的とする。
【課題を解決するための手段】
【０００６】
上記目的を達成するために、本発明のうち請求項１記載の発明は、穂先と、該穂先を固定する首部と、胴部と、穂先を回転させる回転手段と、から構成し、該回転手段によって首部と胴部とが連結されることを特徴とする。
【０００７】
ここで回転手段とは、毛筆の軸を中心に穂先と首部とを一体的に回転させることが可能である手段を全て含める概念であり、請求項２記載の発明のように、首部と胴部とを相互に回転させる軸受にすることが望ましい。
【０００８】
本発明のうち請求項３記載の発明は、回転手段は防食性を保有していることを特徴とする。
【発明の効果】
【０００９】
請求項１記載の発明によれば、毛筆の運びに追従して穂先が回転するため、特に平仮名の曲がる部分や、文字の止め、撥ね、払いの部分の筆運びや筆使いが容易且つスムーズとなり、毛筆を自分の思い通りに自由に操ることができることから、誰もが容易に美しい文字を書くことが可能となる。また、筆運びがスムーズになるため穂先が割れにくく、途中で穂先を整える手間を省くと共に、一筆で流れるように文字が書けることから、墨の濃淡の差をなくし線の太さを均一にすることだけでなく、全体的にバランスの取れた美しい文字を書くことが可能となる。さらには、様々な書体を容易に書くことができると共に、新しい書体をも作り出すことができるため、今までにはない非常に斬新な毛筆を提供することができる。
【００１０】
請求項２記載の発明によれば、軸受によって首部と胴部とが相互に回転するため、軸受に生じる摩擦を減少させて首部と穂先の回転をより一層スムーズにすることができる。
【００１１】
請求項３記載の発明によれば、毛筆を水洗いしても回転手段の腐食を防止することができるため、穂先のスムーズな回転を保持することが可能であると共に、今までの毛筆と同様の取り扱いをすることが可能となる。
【発明を実施するための最良の形態】
【００１２】
以下、本発明の実施形態を図面に基づいて説明する。
【００１３】
本発明の毛筆は、図１及び図２に示すように穂先１と、首部２と、胴部３と、回転軸受４とから構成されている。首部２の一端には穂先１が強固に固着されており、他端には凹部５が形成されている。胴部３は円筒状をなしており、一端は開放されており、他端にはキャップ６が固着されている。回転軸受４は、ステンレス製の回転ピン７と、プラスチック製からなる円柱状の回転部材８ａ，８ｂと、同じくプラスチック製からなる薄い円板９ａ，９ｂとから構成されている。回転部材８ａ，８ｂと円板９ａ，９ｂの各中心部には、回転ピン７の軸部７ａを挿通するための挿通穴１０が形成されている。回転部材８ｂの挿通穴１０のみは、回転部材８ｂ内を貫通させないように形成しておく。
ここで回転軸受４を構成する各部材の材質に関しては、毛筆を水洗いしても各部が腐食しない材質であれば上記したものに限定するものではない。
【００１４】
このように構成された各部を、図３（ａ）（ｂ）（ｃ）に示すように組み立てることで本発明の毛筆が完成する。まず、回転軸受４を組み立てる（図３（ａ））。円板９ａ、回転部材８ａ、円板９ｂ、回転部材８ｂの順に各挿通穴１０に回転ピン７の軸部７ａを挿通する。そして、軸部７ａの先端部を回転部材８ｂの挿通穴１０のさらに奥に打ち込み固定することで組み立てが完成する。このように組み立てることで、回転部材８ａ，８ｂが回転ピン７と一体的に回転するものと、独立して回転するものとに分けられるため、各回転部材８ａ，８ｂを相互に回転させることが可能となる。また、回転部材８ａ，８ｂと円板９ａ，９ｂを交互に配置することで、回転ピン７の頭部７ｂと回転部材８ａ、回転部材８ａ，８ｂ相互の間にそれぞれ円板９ａ，９ｂが配置されるため、円板９ａ，９ｂがワッシャー代わりとなり、各回転部材８ａ，８ｂの回転抵抗を減少させて、よりスムーズに各回転部材８ａ，８ｂを回転させることが可能となる。ここで、回転ピン７の先端部を回転部材８ｂに固定する方法としては、必ずしも回転ピン７の先端部を回転部材８ｂに打ち込むものに限るものではなく、接着剤を用いて回転部材８ｂの挿通穴１０内に回転ピン７の先端部を固着させてもよい。この場合、回転部材８ｂの挿通穴１０は、回転部材８ｂ内を貫通させて設けておくか、又は、回転ピン７の軸部７ａの先端部を完全に収容させるように設けておく必要がある。
【００１５】
次に、上述した回転軸受４を用いて首部２と胴部３とを連結させる。まず、図３（ｂ）に示すように、回転軸受４の回転ピン７の頭部７ｂ側の回転部材８ａを首部２の凹部５内に嵌め込み、接着剤で凹部５内に固着させる。次に、図３（ｃ）に示すように、首部２から突出する回転軸受４のうち回転部材８ｂを胴部３内に嵌め込み、接着剤で胴部３の内周壁に固着させることで各部２，３の連結が完了する。このように、回転軸受４の円板９ｂを中心に、左右の回転部材８ａ，８ｂに首部２と胴部３をそれぞれ固着させることにより、図４にも示す通り、首部２と胴部３が相互に回転可能になると共に、各部２，３の間に円板９ｂが配置されるため、各部２，３の回転が非常にスムーズとなり、さらには回転軸受４の円板９ｂ以外の全ての部材が首部２及び胴部３内に収容されてしまうため、外部から回転軸受４が見えず従来の毛筆と変わらない外観となる。
ここで回転軸受４の円板９ａ，９ｂの大きさに関しては、特に限定するものではないが、回転部材８ａ，８ｂ相互の間に配置される円板９ｂについては、毛筆の外部に露出することから、毛筆の外観を良好にすると共に、毛筆を持つ際の邪魔にならないようにするためにも、胴部３の直径とほぼ同径にするか、又はそれよりも少し小さくすることが望ましい。また、首部２の凹部５内に嵌め込む回転軸受４は、回転ピン７の頭部７ｂ側の回転部材８ａに限定するものではなく、回転ピン７の軸部７ａの先端側の回転部材８ｂであってもよい。
【００１６】
図５は、穂先の回転状態を示すものである。従来の毛筆の持ち方と同様に胴部３を持って文字を書くことで、例えば平仮名「の」等のような曲がる部分や、文字の撥ね、払いの部分等を書く際に、その筆運びに応じて首部２と穂先１が一体となって回転し、穂先１が常に進行方向に向くため、文字を滑らかに書くことが可能となり、筆使い等を習得していなくても誰でも容易に美しい文字を書くことができる。
【００１７】
尚、本発明の毛筆は、穂先１の長さが長くなる程、毛筆を持つ部分（胴部３）と穂先１の先端の距離が大きくなるため、文字を書く際の回転モーメントが大きくなり穂先が回転しやすくなる。また、図６に示すように、首部２と胴部３を跨ぐように手で持つことにより、穂先１の回転を規制して従来の毛筆と同様に使用することが可能となり、非常に汎用性に優れた今までにはない毛筆となる。
【図面の簡単な説明】
【００１８】
【図１】本発明の毛筆を示す側面部分の一部を切欠した断面図である。
【図２】本発明の毛筆を分解した状態を示す一部を切欠した断面図である。
【図３（ａ）（ｂ）（ｃ）】本発明の毛筆の組み立て順序を示す一部を切欠した断面図である。
【図４】本発明の毛筆を示す斜視図である。
【図５】穂先の回転状態を示す説明図である。
【図６】本発明の毛筆の他の使用状態を示す説明図である。
【符号の説明】
【００１９】
１  穂先
２  首部
３  胴部
４  回転軸受（軸受）
【図１】
2005254543.tif 000003
【図２】
2005254543.tif 000004
【図３（ａ）（ｂ）（ｃ）】
2005254543.tif 000005
【図４】
2005254543.tif 000006
【図５】
2005254543.tif 000007
【図６】
2005254543.tif 000008